(57)【特許請求の範囲】
【請求項１】
２組の燃焼機の排気を共通の排気集合筒から排出するように構成した複合燃焼装置において、
２組の燃焼機を同時に燃焼運転している際、一方のファンの送風量不足を検知して送風量を増加補正した後設定時間内に他方のファンの送風量不足を検知して送風量を増加補正した場合は、送風量補正の実行回数をカウントしたカウント数が所定回数以上となったときにはファンの送風量補正を所定の時間禁止する補正禁止手段を設けたことを特徴とする複合燃焼装置。
【請求項２】
２組の燃焼機の排気を共通の排気集合筒から排出するように構成した複合燃焼装置において、
２組の燃焼機を同時に燃焼運転している際、一方のファンの送風量不足を検知して送風量を増加補正した後設定時間内に他方のファンの送風量不足を検知して送風量を増加補正した場合は、送風量補正の実行回数をカウントしたカウント数が所定回数以上となったときにはファンの送風量補正の補正値を初期値に戻す補正制限手段を設けたことを特徴とする複合燃焼装置。
【請求項３】
２組の燃焼機の排気を共通の排気集合筒から排出するように構成した複合燃焼装置において、
２組の燃焼機を同時に燃焼運転している際、一方のファンの送風量不足を検知して送風量を増加補正した後設定時間内に他方のファンの送風量不足を検知して送風量を増加補正した場合は、送風量補正の補正値を積算した積算補正量が所定値以上となったときにはファンの送風量補正を所定の時間禁止する補正禁止手段を設けたことを特徴とする複合燃焼装置。
【請求項４】
２組の燃焼機の排気を共通の排気集合筒から排出するように構成した複合燃焼装置において、
２組の燃焼機を同時に燃焼運転している際、一方のファンの送風量不足を検知して送風量を増加補正した後設定時間内に他方のファンの送風量不足を検知して送風量を増加補正した場合は、送風量補正の補正値を積算した積算補正量が所定値以上となったときにはファンの送風量補正の補正値を初期値に戻す補正制限手段を設けたことを特徴とする複合燃焼装置。
【請求項５】
２組の燃焼機の排気を共通の排気集合筒から排出するように構成した複合燃焼装置において、
２組の燃焼機を同時に燃焼運転している際、一方のファンの送風量不足を検知して送風量を増加補正した後設定時間内に他方のファンの送風量不足を検知して送風量を増加補正した場合は、その後の送風量補正の補正値が、正規の補正量に対して補正毎に逓減していくように設定する補正制限手段を設けたことを特徴とする複合燃焼装置。
【発明の詳細な説明】
【０００１】
【発明の属する技術分野】
本発明は、２組の燃焼機の排気を共通の排気集合筒から排出する形式の複合燃焼装置に関する。
【従来の技術】
従来、給湯用の燃焼機と風呂用の燃焼機などの２組の燃焼機を共通のケーシング内に組み込み、それら２組の燃焼機の燃焼排気を共通の排気集合筒から排出するように構成した複合燃焼装置が実用に供されている。
そして、従来の燃焼機は、通常、そのリモートコントローラからの指令と、湯温や排気中のＣＯ濃度やファン回転数やファンモータ駆動電流などに基づいて、湯温、給湯量や燃料ガス流量、ファンモータの駆動電流や回転数などを制御している。
【０００２】
ここで、燃焼機のファンの送風量は、ファンモータの駆動電流と回転数に比例することから、ファンモータの駆動電流と回転数を制御することでファンの送風量を制御している。燃焼機の燃焼条件が一定である場合でも、外部の風の影響などで排気抵抗が増加すると、ファンの送風量が減少するため、最近の燃焼機では、排気抵抗に応じてファンの送風量を補正する（ファンアップという）機能を持たせている。
【０００３】
特開平６−１２９６３５号公報には複合燃焼装置の制御装置が提案され、この制御装置では、２組の燃焼機を２組の制御部で夫々制御するように構成し、双方の制御部の間でファン回転数信号と運転許可信号とを授受するように構成し、一方の燃焼機のバーナーが作動すると、運転許可信号と設定回転数信号を相手方の制御部に出力して、相手方の燃焼機のファンを同じ回転数で強制的に回転させる。また、相手方の燃焼機のバーナーが作動すると、双方の制御部が各燃焼機を独立に制御する。
【０００４】
特開平６−２８３６号公報には複合燃焼装置が提案され、この複合燃焼装置では、燃焼能力が大きく燃焼量可変の第１の燃焼機のファンの回転数は燃焼量に比例させ、第２の燃焼機のファンの回転数は、その燃焼量と、前記第１の燃焼機のファンの回転数とに比例させるようになっている。
【０００５】
【発明が解決しようとする課題】
前記の２組の燃焼機の排気を共通の排気集合筒から排出する形式の複合燃焼装置が、排気抵抗に応じてファンの送風量を補正する機能を装備している場合であって、両燃焼機を同時運転する場合には、次のような問題がある。何らかの理由により、一方の第１燃焼機がファンアップした場合には、排気集合筒における排気流量が増加し、排気干渉により他方の第２燃焼機の排気に対する排気抵抗が増してファンの送風量が低下するため、その第２燃焼機もファンの送風量を元に戻そうとしてファンアップを実行する。その影響を受けて、前記と同様に第１燃焼機が再びファンアップを実行する。こうして一連のファンアップが交互に連鎖的に多数回繰り返されるという問題がある。
【０００６】
前記前者の公報の制御装置では、両方の燃焼機が作動している場合には、２つの制御部により夫々の燃焼機のファンモータを独立に制御するので、前記のようなファンアップの連鎖的な繰り返しを有効に防止することができない。
前記後者の公報の複合燃焼装置では、第１の燃焼機の燃焼量が比較的少量で、第２の燃焼機の燃焼量が多いような場合に、第１の燃焼機がファンアップを実行すると、第２の燃焼機のファン回転数も増加し、その結果第１の燃焼機がファンアップを再び繰り返す可能性があり、前記の課題は依然として残されている。
【０００７】
【課題を解決するための手段】
請求項１の複合燃焼装置は、２組の燃焼機の排気を共通の排気集合筒から排出するように構成した複合燃焼装置において、２組の燃焼機を同時に燃焼運転している際、一方のファンの送風量不足を検知して送風量を増加補正した後設定時間内に他方のファンの送風量不足を検知して送風量を増加補正した場合は、送風量補正の実行回数をカウントしたカウント数が所定回数以上となったときにはファンの送風量補正を所定の時間禁止する補正禁止手段を設けたものである。
【０００８】
２組の燃焼機の燃焼排気は、共通の排気集合筒から排出される関係上、各燃焼機の排気は、相手方の燃焼機の排気と干渉し合って排出されにくくなることがあり、そのような場合に送風量が増加補正され、その送風量の補正に連動して相手方の燃焼機の送風量が増加補正される。この種の排気干渉による一連の送風量の増加補正が発生した場合、補正禁止手段が、送風量補正の実行回数をカウントしたカウント数が所定回数以上となったときにはファンの送風量補正を所定の時間禁止する。こうして、送風量の増加補正の連鎖をストップさせることができるため、両燃焼機における排気と燃焼を安定させ、モータの駆動電力を節減することができる。
【０００９】
請求項２の複合燃焼装置は、２組の燃焼機の排気を共通の排気集合筒から排出するように構成した複合燃焼装置において、２組の燃焼機を同時に燃焼運転している際、一方のファンの送風量不足を検知して送風量を増加補正した後設定時間内に他方のファンの送風量不足を検知して送風量を増加補正した場合は、送風量補正の実行回数をカウントしたカウント数が所定回数以上となったときにはファンの送風量補正の補正値を初期値に戻す補正制限手段を設けたものである。尚、ファンの送風量補正の補正値を初期値に戻すとは、補正量を零に復帰させる場合を含むものである。
【００１０】
請求項１と同様に、排気干渉による一連の送風量の増加補正が発生した場合、補正制限手段が、送風量補正の実行回数をカウントしたカウント数が所定回数以上となったときにはファンの送風量補正の補正値を初期値に戻す。従って、請求項１と同様に、送風量の増加補正の連鎖をストップさせることができるため、両燃焼機における排気と燃焼を安定させ、モータの駆動電力を節減することができる。
【００１１】
請求項３の複合燃焼装置は、２組の燃焼機の排気を共通の排気集合筒から排出するように構成した複合燃焼装置において、２組の燃焼機を同時に燃焼運転している際、一方のファンの送風量不足を検知して送風量を増加補正した後設定時間内に他方のファンの送風量不足を検知して送風量を増加補正した場合は、送風量補正の補正値を積算した積算補正量が所定値以上となったときにはファンの送風量補正を所定の時間禁止する補正禁止手段を設けたものである。
【００１２】
請求項１と同様に、排気干渉による一連の送風量の増加補正が発生した場合、補正禁止手段が、送風量補正の補正値を積算した積算補正量が所定量以上となったときにはファンの送風量補正を所定の時間禁止する。従って、請求項１と同様に、送風量の増加補正の連鎖をストップさせることができるため、両燃焼機における排気と燃焼を安定させ、モータの駆動電力を節減することができる。
【００１３】
請求項４の複合燃焼装置は、２組の燃焼機の排気を共通の排気集合筒から排出するように構成した複合燃焼装置において、２組の燃焼機を同時に燃焼運転している際、一方のファンの送風量不足を検知して送風量を増加補正した後設定時間内に他方のファンの送風量不足を検知して送風量を増加補正した場合は、送風量補正の補正値を積算した積算補正量が所定値以上となったときにはファンの送風量補正の補正値を初期値に戻す補正制限手段を設けたものである。尚、ファンの送風量補正の補正値を初期値に戻すとは、補正量を零に復帰させる場合を含むものである。
【００１４】
請求項１と同様に、排気干渉による一連の送風量の増加補正が発生した場合、補正制限手段が、送風量補正の補正値を積算した積算補正量が所定量以上となったときにはファンの送風量補正の補正値を初期値に戻す。従って、請求項１と同様に、送風量の増加補正の連鎖をストップさせることができるため、両燃焼機における排気と燃焼を安定させ、モータの駆動電力を節減することができる。
【００１５】
請求項５の複合燃焼装置は、２組の燃焼機の排気を共通の排気集合筒から排出するように構成した複合燃焼装置において、２組の燃焼機を同時に燃焼運転している際、一方のファンの送風量不足を検知して送風量を増加補正した後設定時間内に他方のファンの送風量不足を検知して送風量を増加補正した場合は、その後の送風量補正の補正値が、正規の補正量に対して補正毎に逓減していくように設定する補正制限手段を設けたものである。
【００１６】
請求項１と同様に、排気干渉による一連の送風量の増加補正が発生した場合、補正制限手段は、その後の送風量補正の補正値が、正規の補正量に対して補正毎に逓減していくように設定する。従って、請求項１と同様に、送風量の増加補正の連鎖をストップさせることができるため、両燃焼機における排気と燃焼を安定させ、モータの駆動電力を節減することができる。
【００１７】
【発明の実施の形態】
次に、本発明の実施の形態について図面を参照しながら説明する。図１に示すように、複合燃焼装置１は、例えば給湯器である第１燃焼機２Ａ、例えば風呂にお湯を供給する第２燃焼機２Ｂ、制御ユニット３などからなり、第１燃焼機２Ａと第２燃焼機２Ｂとは共通のケーシング内に収容され、共通の排気集合筒４から燃焼排気を排出するように構成されている。この複合燃焼装置１は、各燃焼機２Ａ，２Ｂの排気抵抗に応じてファン６ａ，６ｂの送風量を増加補正する機能を有するものである。
【００１８】
第１燃焼機２Ａは、バーナー４ａ、その上方の熱交換器５ａ、バーナー４ａへ供給するガスの流量を制御するガス比例弁ＶＧ１、熱交換器５ａへ供給する水の流量を制御する水調整弁ＶＷ１、バーナー４ａに空気を供給するファン６ａ及びこのファン６ａを駆動するモータＭ１などを有する。同様に、第２燃焼機２Ｂは、バーナー４ｂ、その上方の熱交換器５ｂ、バーナー４ｂへ供給するガスの流量を制御するガス比例弁ＶＧ２、熱交換器５ｂへ供給する水の流量を制御する水調整弁ＶＷ２、バーナー４ｂに空気を供給するファン６ｂ及びこのファン６ｂを駆動するモータＭ２などを備えている。
【００１９】
次に、制御ユニット３について図２を参照して説明する。制御ユニット３は、マイクロコンピュータ１０、タイマー回路１１、入出力インターフェース１２、水調整弁ＶＷ１の為の駆動回路１３ａ、ガス比例弁ＶＧ１の為の駆動回路１４ａ、水調整弁ＶＷ２の為の駆動回路１３ｂ、ガス比例弁ＶＧ２の為の駆動回路１４ｂ、ファン駆動モータＭ１の駆動制御部１５ａ、ファン駆動モータＭ２の駆動制御部１５ｂなどを備えている。
【００２０】
第１，第２燃焼機２Ａ，２Ｂの為のリモートコントローラ１６ａ，１６ｂは入出力インターフェース１２に接続され、その他図示していないセンサ類（バーナーセンサ、ＣＯセンサ、湯温センサ等々）も入出力インターフェース１２に接続されている。マイクロコンピュータ１０は、ＣＰＵ１７とＲＯＭ１８とＲＡＭ１９とを有し、ＲＯＭ１８には、第１，第２燃焼機２Ａ，２Ｂの制御対象の各機器を制御する制御プログラム（後述の送風量補正制御の制御プログラムも含む）やそれらの制御に関連するマップやテーブルが予め格納されている。
【００２１】
そのテーブルとして、第１，第２燃焼機２Ａ，２Ｂの各々について、燃焼量（カス流量）と、モータＭ１，Ｍ２を駆動するモータ駆動電流と、モータ回転数（ファン回転数）との相関関係を設定した送風量テーブルが格納されている。各燃焼機２Ａ，２Ｂにおける燃焼量は、リモートコントローラ１６ａ，１６ｂからの指令と、検出湯温と、給水量などに基づいて、所定の燃焼量設定プログラムで演算して決定される。ＲＡＭ１９には前記の制御の為の種々のメモリ類やバッファが設けられる。タイマー回路１１はＣＰＵ１７からクロック信号を受けて時刻を計数する。
【００２２】
駆動制御部１５ａは、ブラシレスモータからなるモータＭ１に制御された直流電流を供給するモータドライバ２０ａ、マイクロコンピュータ１０から受ける制御信号と回転ロジック２２ａからの同期信号に基づいてＰＷＭ方式にてモータ駆動電流を制御するＰＷＭ回路２１ａ、モータＭ１に設けられたホール素子を含むホールＩＣ２４ａの検出信号を受けてモータの回転に同期した同期信号を発生させる回転ロジック２２ａ、この回転ロジック２２ａから受ける同期信号から回転数パルスを発生させて入出力インターフェース１２を介してマイクロコンピュータ１０に出力する回転数パルス発生回路２３ａなどを有する。
【００２３】
同様に、駆動検出部１５ｂは、ブラシレスモータからなるモータＭ２に制御された直流電流を供給するモータドライバ２０ｂ、ＰＷＭ回路２１ｂ、ホールＩＣ２４ｂの検出信号を受ける回転ロジック２２ｂ、回転数パルス発生回路２３ｂなどを有する。モータＭ１，Ｍ２の駆動電流を夫々検出するカレントトランス２５ａ，２５ｂが設けられ、これらカレントトランス２５ａ，２５ｂの検出信号は入出力インターフェース１２を介してマイクロコンピュータ１０へ入力される。
【００２４】
次に、第１，第２燃焼機２Ａ，２Ｂを同時に運転する際に、制御ユニット３のマイクロコンピュータ１０で実行される制御のメインルーチンの概略フローチャートについて説明する。但し、以下のフローチャート中、符号Ｓｉ（ｉ＝１．２．・・）は各ステップを示すものである。図３に示すように、第１，第２燃焼機２Ａ，２Ｂの同時運転が開始されると（Ｓ１）、リモートコントローラ１６ａ，１６ｂからの種々の指令信号、カレントトランス２５ａ，２５ｂの検出信号、その他のセンサ類からの検出信号などの各種信号が読み込まれる（Ｓ２）。
【００２５】
次に、ガス比例弁ＶＧ１，ＶＧ2 に対する駆動制御が実行され（Ｓ３）、水調整弁ＶＷ１，ＶＷ２に対する駆動制御が実行され（Ｓ４）、次にモータＭ１，Ｍ２の駆動電流を制御する電流制御が実行され、その制御信号がＰＷＭ回路２１ａ，２１ｂへ夫々出力される（Ｓ５）。その後Ｓ２へリターンし、Ｓ２〜Ｓ５が微小時間おきに繰り返し実行される。尚、第１，第２燃焼機２Ａ，２Ｂの同時運転が終了した際にはこの制御が終了する。Ｓ５におけるモータ駆動電流の制御は、前述の送風量テーブルに、現在の要求燃焼量と、検出モータ回転数（ファン回転数）を適用することで目標のモータ駆動電流を求め、その駆動電流とするように制御する制御信号がＰＷＭ回路２１ａ，２１ｂに出力することで行われる。
【００２６】
次に、図３のメインルーチンに対して、例えば所定の微小時間毎に割り込み処理にて実行される送風量制御について説明する。図４に示すように、第１，第２燃焼機２Ａ，２Ｂの燃焼量は定常か否か判定され（Ｓ１０）、Ｎｏの場合はＳ１１においてフラグＦ１，Ｆ２がリセットされてリターンし、第１，第２燃焼機２Ａ，２Ｂへのガス供給量が一定で燃焼量が両方の燃焼機とも定常の場合には、第１，第２燃焼機２Ａ，２Ｂの送風量が減少したか否か判定される（Ｓ１２）。回転数パルスから検出されたモータ回転数とカレントトランス２５ａ，２５ｂで検出されたモータ駆動電流を前述した送風量テーブルに適用して、送風量の減少と減少比率を知ることができる。
【００２７】
Ｓ１２の判定がＮｏのときはそのままリターンするが、Ｓ１２の判定がＹｅｓの場合は、フラグＦ１＝１且つフラグＦ２＝１か否か判定される（Ｓ１３）。
最初はフラグＦ１，Ｆ２がセットされておらず、Ｆ1 ，Ｆ２の両方とも０であるから、Ｓ１３からＳ１４へ移行し、Ｓ１４において第１燃焼機２Ａの送風量が減少したか否か判定し、その判定がＹｅｓのときは、第１燃焼機２Ａの送風量を増加補正する（Ｓ１５）。この場合、第１燃焼機２Ａのファン６ａの現在の設定送風量に対する送風量の減少比率（例えば、Ａ％）の補正値（このように求める補正値が正規の補正量である）でもって送風量が補正される。この送風量の補正値を、前記の送風量の減少比率と前記の送風量テーブルに基づいてモータＭ１の駆動電流の増加補正量を演算し、駆動電流を補正することで補正が実行される。
【００２８】
次に、Ｓ１６において、今回の送風量補正を実行した現在時刻Ｔ１をタイマー回路１１から入力してメモリに記憶することで時刻Ｔ１が記憶され、次に第１燃焼機２Ａのファンの送風量の補正を実行したことを示すフラグＦ１がセットされ（Ｓ１７）、その後メインルーチンへリターンする。他方、第２燃焼機２Ｂの送風量が減少した場合には、Ｓ１４の判定がＮｏとなるため、Ｓ１８において前記同様に第２燃焼機２Ｂの送風量が増加補正される。このとき、送風量の減少比率（例えば、Ｂ％）の補正値でもって送風量が補正される。次に送風量補正を実行した時刻Ｔ２が記憶され（Ｓ１９）、次に第２燃焼機２Ｂのファンの送風量の補正を実行したことを示すフラグＦ２がセットされ（Ｓ２０）、その後メインルーチンへリターンする。
【００２９】
次に、第１，第２燃焼機２Ａ，２Ａに対してファン６ａ，６ｂの送風量の補正が実行されると、Ｓ１３の判定がＹｅｓとなるためＳ１３から図５のＳ２１へ移行する。図５に示すように、Ｓ２１では時刻Ｔ１が時刻Ｔ２より先行しているか否か判定し、時刻Ｔ１が先行している場合には、Ｓ２２において時刻Ｔ１から時刻Ｔ２までα分（例えば、設定時間α＝１）以内か否か判定し、その判定がＮｏのときはＳ２３でフラグＦ１をリセットしてからリターンする。
【００３０】
Ｓ２２の判定がＹｅｓのときは、Ｓ２４において送風量の補正値を積算するカウンタＰを、Ｐ＝Ａ＋Ｂ（％）にセットし、次にＳ２５においてＰ≧Ｐ０％（例えば、所定値Ｐ０＝１０）か否か判定し、その判定がＮｏのときはＳ２３においてフラグＦ１をリセット後リターンする。Ｓ２５の判定がＹｅｓのときは、Ｓ３０において送風量補正過剰繰り返しと判断し、その後の送風量補正を次のような種々の態様の何れかでもって制限する。
【００３１】
即ち、第１の態様では、第１，第２燃焼機２Ａ，２Ｂの送風量の補正値を初期値（補正量＝０の状態）に復帰させ、所定時間（例えば、５分）その初期値を維持させる。尚、前記初期値は必ずしも、補正量＝０の状態としなくともよく、適宜の初期値を適用してもよい。第２の態様では、送風量の補正を所定時間（例えば、５分）の間禁止する。第３の態様では、その後の送風量補正の補正値が、送風量の減少比率に基づいて求める正規の補正量に対して補正毎に所定の比率で逓減していくように設定する。例えば、その後の送風量補正のうち、第１回目の送風量補正の補正値は、正規の補正量の１／２、第２回目の送風量補正の補正値は、正規の補正量の１／４、第３回目の送風量補正の補正値は、正規の補正量の１／８、・・とする。
【００３２】
つまり、第１燃焼機２Ａの送風量を増加補正し、それに先行して第２燃焼機２Ｂの送風量が増加補正され、積算補正量が正規の設定送風量に対して所定値（この例では１０％）以上になった場合に限り、第１，第２燃焼機２Ａ，２Ｂの送風量の補正を前記の何れかの態様で制限し、それ以外の場合には、Ｓ２３においてフラグＦ１をリセットしてリターンする。次に、Ｓ３１では、フラグＦ１，Ｆ２がリセットされ、カウンタＰ，Ｑがリセットされ、その後リターンする。
【００３３】
一方、時刻Ｔ2 が時刻Ｔ１より先行している場合には、Ｓ２１の判定がＮｏとなってＳ２６へ移行する。Ｓ２６では、Ｓ２２と同様に、時刻Ｔ２から時刻Ｔ１までα分以内か否か判定し、その判定がＮｏのときはＳ２７でフラグＦ２をリセットしてからリターンする。Ｓ２６の判定がＹｅｓのときは、Ｓ２８において送風量の補正値を積算するカウンタＱを、Ｑ＝Ａ＋Ｂ（％）にセットし、次にＳ２９においてＱ≧Ｐ０％（例えば、所定値Ｐ０＝１０）か否か判定し、その判定がＮｏのときはＳ２７においてフラグＦ２をリセット後リターンする。Ｓ２９の判定がＹｅｓのときは、Ｓ３０へ移行してＳ３０において前記と同様に実行し、その後Ｓ３１を経てリターンする。
【００３４】
以上説明したように、第１，第２燃焼機２Ａ，２Ｂの排気干渉により、一連の送風量の増加補正が交互に実行され、その一連の送風量の増加補正の補正値を積算補正量が所定値以上になったときに、その後の送風量の補正を前記の何れかの態様で制限するので、複合燃焼装置１における排気と燃焼が安定し、モータＭ１，Ｍ２の駆動電力も節減することができる。
【００３５】
前記送風量の補正制限において、第１の態様のように、補正値を初期値（補正量＝０の状態）に戻す場合には、排気干渉の影響を迅速に解消することができる。第２の態様のように、所定の時間送風量の補正を禁止する場合には、制御も簡単で、排気干渉の影響を迅速に解消することができる。前記第３の態様のように、その後の補正毎に補正値を逓減させる場合には、送風量の補正を徐々に解消していくため、排気や燃焼が急変することがなく、実際の排気抵抗を多少加味して送風量を制御することができる。
【００３６】
次に、以上の実施の形態を変更する変更形態について説明する。
図６、図７に示す送風量制御では、送風量の増加補正の実行回数をカウントして、その実行回数が所定回数以上になった場合に、送風量の増加補正を制限する。図６のフローチャートは、前記の図４のフローチャートと略同様であるので異なるステップについて説明すると、Ｓ５５において第１燃焼機２Ａに対して送風量補正が実行され、次のＳ５６では第１燃焼機２Ａに対する送風量補正の実行回数を計数するカウンタＩがインクリメントされる。また、Ｓ５９において第２燃焼機２Ｂに対して送風量補正が実行され、次のＳ６０では第２燃焼機２Ｂに対する送風量補正の実行回数を計数するカウンタＪがインクリメントされる。
【００３７】
次に、図７のフローチャートに示すように、Ｓ６３では時刻Ｔ１が時刻Ｔ２  より先行しているか否か判定し、時刻Ｔ１が先行している場合は、Ｓ６４において時刻Ｔ1 から時刻Ｔ２までβ分（例えば、設定時間β＝１）か否か判定し、その判定がＮｏのときはＳ６５でフラグＦ１をリセットしてからリターンする。Ｓ６４の判定がＹｅｓのときは、Ｓ６６においてＩ≧Ｉ０（例えば、所定値Ｉ０＝４）か否か判定し、その判定がＮｏのときはそのままリターンする。Ｓ６６の判定がＹｅｓのときは、Ｓ７０において送風量補正過剰繰り返しと判断し、その後の送風量補正を前記と同様の種々の態様の何れかでもって制限する。次に、Ｓ７１においてフラグＦ１，Ｆ２、カウンタＩをリセット後リターンする。
【００３８】
Ｓ６３の判定がＮｏで、時刻Ｔ２が先行している場合は、Ｓ６７において時刻Ｔ２から時刻Ｔ１までβ分以内か否か判定し、その判定がＮｏのときはＳ６８でフラグＦ２をリセットしてからリターンする。Ｓ６７の判定がＹｅｓのときは、Ｓ６９においてＩ≧Ｉ０（例えば、所定値Ｉ０＝４）か否か判定し、その判定がＮｏのときはそのままリターンする。Ｓ６９の判定がＹｅｓのときは、Ｓ７０において送風量補正過剰繰り返しと判断し、その後の送風量補正を前記と同様の種々の態様の何れかでもって制限し、その後Ｓ７１を経てリターンする。
【００３９】
このように、第１，第２燃焼機２Ａ，２Ｂの排気干渉により、一連の送風量の増加補正が交互に実行され、その一連の送風量の増加補正の実行回数が所定回数以上になったときに、その後の送風量の補正を前記の何れかの態様で制限するので、基本的に前記実施形態と同様の作用、効果が得られる。しかも、送風量の増加補正の回数をパラメータとするため、演算処理も複雑化することがなく、実用性に優れる。
【００４０】
以上説明した実施の形態はほんの一例を示すものに過ぎず、当業者であれば、本願発明の趣旨の逸脱することなく、前記の送風量制御に適宜変更を付加した形で実施可能である。例えば、一連の送風量補正の実行時間の積算値を求め、その積算時間が所定値以上になった場合に、送風量の補正を制限するように構成することも可能であり、また、実質的に影響のないような、微少量の送風量補正は無視するような送風量制御としてもよい。また、図４のＳ１０や図５０のＳ５０において、第１，第２燃焼機２Ａ，２Ｂの燃焼量が定常か否か判定しているが、厳密には定常でなくとも、燃焼量が極く少量変化した場合にも、燃焼量が定常であると判定してもよい。
【００４１】
【発明の効果】
請求項１の発明によれば、排気干渉による一連の送風量の増加補正が発生した場合に、送風量補正の実行回数をカウントしてそのカウント数が所定回数以上となったときにはファンの送風量補正を所定の時間禁止する補正禁止手段を設けたので、送風量の増加補正の連鎖をストップさせることができ、両燃焼機における排気と燃焼を安定させ、モータの駆動電力を節減することができる。
【００４２】
請求項２の発明によれば、排気干渉による一連の送風量の増加補正が発生した場合に、送風量補正の実行回数をカウントしてそのカウント数が所定回数以上となったときにはファンの送風量補正の補正値を初期値に戻す補正制限手段を設けたので、請求項１と同様に、送風量の増加補正の連鎖をストップさせることができ、両燃焼機における排気と燃焼を安定させ、モータの駆動電力を節減することができる。
【００４３】
請求項３の発明によれば、排気干渉による一連の送風量の増加補正が発生した場合に、送風量補正の補正値を積算してその積算補正量が所定値以上となったときにはファンの送風量補正を所定の時間禁止する補正禁止手段を設けたので、請求項１と同様に送風量の増加補正の連鎖をストップさせることができ、両燃焼機における排気と燃焼を安定させ、モータの駆動電力を節減することができる。
【００４４】
請求項４の発明によれば、排気干渉による一連の送風量の増加補正が発生した場合に、送風量補正の補正値を積算し、この積算補正量が所定量以上となったときにはファンの送風量補正の補正値を初期値に戻す補正制限手段を設けたので、請求項１と同様に、送風量の増加補正の連鎖をストップさせることができるため、両燃焼機における排気と燃焼を安定させ、モータの駆動電力節減することができる。
【００４５】
請求項５の発明によれば、排気干渉による一連の送風量の増加補正が発生した場合に、その後の送風量補正の補正値が、正規の補正量に対して補正毎に逓減していくように設定する補正制限手段を設けたので、請求項１と同様に、送風量の増加補正の連鎖をストップさせることができ、両燃焼機における排気と燃焼を安定させ、モータの駆動電力を節減することができる。
【図面の簡単な説明】
【図１】本発明の実施の形態に係る複合燃焼装置の構成図である。
【図２】複合燃焼装置の制御系のブロック図である。
【図３】複合燃焼装置の制御ユニットが行う制御（メインルーチン）の概略フローチャートである。
【図４】送風量補正制御のフローチャートの一部である。
【図５】図４のフローチャートに続くフローチャートの残部である。
【図６】変更形態に係る送風量補正制御のフローチャートの一部である。
【図７】図６のフローチャートに続くフローチャートの残部である。
【符号の説明】
１          複合燃焼装置
２Ａ，２Ｂ    第１，第２燃焼機
３          制御ユニット
４          排気集合筒
６ａ，６ｂ          ファン
Ｍ１，Ｍ２          モータ
【図１】
0004106846.tif 000002
【図２】
0004106846.tif 000003
【図３】
0004106846.tif 000004
【図４】
0004106846.tif 000005
【図５】
0004106846.tif 000006
【図６】
0004106846.tif 000007
【図７】
0004106846.tif 000008